【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
ユーザ機器におけるワイヤレス通信の方法であって、
基地局のホッピングパターンでフレームにわたって第1のチャネル占有に対する狭帯域周波数帯域の第1のセットから第2のチャネル占有に対する狭帯域周波数帯域の第2のセットにホッピングする基地局に複数の送信単位の中でアップリンク送信を送信するステップであって、前記狭帯域周波数帯域の第1のセットが、前記狭帯域周波数帯域の第2のセットとは異なる、ステップと、
前記基地局のホッピングパターンに基づいてフレームにわたって第1のパターンで狭帯域周波数帯域のセットをホッピングするステップと
を備える方法。
【請求項２】
前記アップリンク送信が、デュアルホッピングパターンに基づいて送信され、前記方法が、
フレームにわたって前記基地局のホッピングパターンに基づいてホッピングするとともにフレーム内の送信単位にわたって第2のパターンでホッピングするステップであって、狭帯域周波数帯域が、前記第2のパターンに基づいた前記フレームの間に前記基地局の前記チャネル占有内でホッピングされる、ステップをさらに備える、
請求項1に記載の方法。
【請求項３】
前記ユーザ機器が、各フレームの中で前記基地局の前記チャネル占有に関連する同じ狭帯域の中で前記アップリンク送信を送信する、請求項1に記載の方法。
【請求項４】
前記基地局の前記チャネル占有が、指定された周波数帯域内の狭帯域を備える、請求項1に記載の方法。
【請求項５】
前記ユーザ機器が、前記周波数帯域をホッピングする前に、周波数当り最大個数までの送信単位を送信する、請求項1に記載の方法。
【請求項６】
前記最大個数が、フレーム構造の中のダウンリンクサブフレームの数、および前記ユーザ機器がその上でホッピングできる狭帯域の数に基づく、請求項5に記載の方法。
【請求項７】
前記ユーザ機器が、フレームの冒頭においてリッスンビフォアトーク(LBT)プロシージャを実行することなく前記アップリンク送信を送信する、請求項1に記載の方法。
【請求項８】
前記第1のパターンが固定パターンを備える、請求項1に記載の方法。
【請求項９】
アップリンク狭帯域およびダウンリンク狭帯域が異なる、請求項1に記載の方法。
【請求項１０】
前記ワイヤレス通信がモノのインターネット(IoT)通信を備える、請求項1に記載の方法。
【請求項１１】
前記アップリンク送信が、前記フレームの間に前記基地局の前記チャネル占有に対する前記基地局の帯域幅内で送信される、請求項1に記載の方法。
【請求項１２】
前記狭帯域周波数帯域の第1のセットが、成功したクリアチャネルアセスメント(CCA)プロシージャに続く前記第1のチャネル占有の持続時間の間、占有される、請求項1に記載の方法。
【請求項１３】
ユーザ機器におけるワイヤレス通信のための装置であって、
基地局のホッピングパターンでフレームにわたって第1のチャネル占有に対する狭帯域周波数帯域の第1のセットから第2のチャネル占有に対する狭帯域周波数帯域の第2のセットにホッピングする基地局に複数の送信単位の中でアップリンク送信を送信するための手段であって、前記狭帯域周波数帯域の第1のセットが、前記狭帯域周波数帯域の第2のセットとは異なる、手段と、
前記基地局のホッピングパターンに基づいてフレームにわたって第1のパターンで狭帯域周波数帯域のセットをホッピングするための手段と
を備える装置。
【請求項１４】
前記アップリンク送信が、デュアルホッピングパターンに基づいて送信され、前記装置が、
フレームにわたって前記基地局のホッピングパターンに基づいてホッピングするとともにフレーム内の送信単位にわたって第2のパターンでホッピングするための手段であって、狭帯域周波数帯域が、前記第2のパターンに基づいた前記フレームの間に前記基地局の前記チャネル占有内でホッピングされる、手段をさらに備える、
請求項13に記載の装置。
【請求項１５】
ユーザ機器におけるワイヤレス通信のための装置であって、
メモリと、
前記メモリに結合された少なくとも1つのプロセッサとを備え、前記プロセッサが、
基地局のホッピングパターンでフレームにわたって第1のチャネル占有に対する狭帯域周波数帯域の第1のセットから第2のチャネル占有に対する狭帯域周波数帯域の第2のセットにホッピングする基地局に複数の送信単位の中でアップリンク送信を送信することであって、前記狭帯域周波数帯域の第1のセットが、前記狭帯域周波数帯域の第2のセットとは異なる、ことと、
前記基地局のホッピングパターンに基づいてフレームにわたって第1のパターンで狭帯域周波数帯域のセットをホッピングすることとをするように構成される、
装置。
【請求項１６】
前記アップリンク送信が、デュアルホッピングパターンに基づいて送信され、前記少なくとも1つのプロセッサが、
フレームにわたって前記基地局のホッピングパターンに基づいてホッピングするとともにフレーム内の送信単位にわたって第2のパターンでホッピングすることであって、狭帯域周波数帯域が、前記第2のパターンに基づいた前記フレームの間に前記基地局の前記チャネル占有内でホッピングされる、ことをするようにさらに構成される、
請求項15に記載の装置。
【請求項１７】
各フレームの中で前記基地局の前記チャネル占有に関連する同じ狭帯域の中で前記アップリンク送信を送信する、請求項15に記載の装置。
【請求項１８】
前記基地局の前記チャネル占有が、指定された周波数帯域内の狭帯域を備える、請求項15に記載の装置。
【請求項１９】
前記ユーザ機器が、前記周波数帯域をホッピングする前に、周波数当り最大個数までの送信単位を送信する、請求項16に記載の装置。
【請求項２０】
前記最大個数が、フレーム構造の中のダウンリンクサブフレームの数、および前記ユーザ機器がその上でホッピングできる狭帯域の数に基づく、請求項19に記載の装置。
【請求項２１】
前記ユーザ機器が、フレームの冒頭においてリッスンビフォアトーク(LBT)プロシージャを実行することなく前記アップリンク送信を送信する、請求項15に記載の装置。
【請求項２２】
前記第1のパターンが固定パターンを備える、請求項15に記載の装置。
【請求項２３】
アップリンク狭帯域およびダウンリンク狭帯域が異なる、請求項15に記載の装置。
【請求項２４】
前記ワイヤレス通信がモノのインターネット(IoT)通信を備える、請求項15に記載の装置。
【請求項２５】
ユーザ機器におけるワイヤレス通信のためのコンピュータ実行可能コードを記憶するコンピュータ可読媒体であって、
基地局のホッピングパターンでフレームにわたって第1のチャネル占有に対する狭帯域周波数帯域の第1のセットから第2のチャネル占有に対する狭帯域周波数帯域の第2のセットにホッピングする基地局に複数の送信単位の中でアップリンク送信を送信することであって、前記狭帯域周波数帯域の第1のセットが、前記狭帯域周波数帯域の第2のセットとは異なる、ことと、
前記基地局のホッピングパターンに基づいてフレームにわたって第1のパターンで狭帯域周波数帯域のセットをホッピングすることとをするためのコードを備える、
コンピュータ可読媒体。
【請求項２６】
前記アップリンク送信が、デュアルホッピングパターンに基づいて送信され、前記コンピュータ可読媒体が、
フレームにわたって前記基地局のホッピングパターンに基づいてホッピングするとともにフレーム内の送信単位にわたって第2のパターンでホッピングすることであって、狭帯域周波数帯域が、前記第2のパターンに基づいた前記フレームの間に前記基地局の前記チャネル占有内でホッピングされる、ことをするためのコードをさらに備える、
請求項25に記載のコンピュータ可読媒体。
【請求項２７】
基地局におけるワイヤレス通信の方法であって、
フレームにわたって基地局のホッピングパターンで第1のチャネル占有に対する狭帯域周波数帯域の第1のセットから第2のチャネル占有に対する狭帯域周波数帯域の第2のセットにホッピングするステップであって、前記狭帯域周波数帯域の第1のセットが、前記狭帯域周波数帯域の第2のセットとは異なる、ステップと、
前記基地局のホッピングパターンに基づいて狭帯域周波数帯域の対応するセット内の複数の送信単位の中で、ユーザ機器から狭帯域の中でアップリンク送信を受信するステップと
を備える方法。
【請求項２８】
前記アップリンク送信が、デュアルホッピングパターンに基づいて前記ユーザ機器から受信され、前記ユーザ機器が、フレームにわたって前記基地局のホッピングパターンに基づいてホッピングするとともにフレーム内の送信単位にわたって第2のパターンでホッピングし、前記ユーザ機器が、前記第2のパターンに基づいた前記フレームの間に前記基地局の前記チャネル占有内で狭帯域周波数帯域をホッピングする、請求項27に記載の方法。
【請求項２９】
前記アップリンク送信が、各フレームの中で前記基地局の前記チャネル占有に関連する同じ狭帯域の中で前記ユーザ機器から受信される、請求項27に記載の方法。
【請求項３０】
前記基地局が広帯域基地局を備え、前記方法が、
複数の狭帯域ユーザ機器との通信を多重化するステップをさらに備える、
請求項27に記載の方法。
【請求項３１】
前記アップリンク送信が、アップリンク狭帯域の中で受信され、前記方法が、
ダウンリンク狭帯域の中でダウンリンク通信を前記ユーザ機器へ送信するステップをさらに備え、前記アップリンク狭帯域が前記ダウンリンク狭帯域とは異なる、
請求項27に記載の方法。
【請求項３２】
前記基地局が、少なくとも1つの近隣基地局とは異なる周波数チャネルを占有するために、前記少なくとも1つの近隣基地局と協調して、フレームにわたって前記第1のパターンで周波数チャネルをホッピングする、請求項27に記載の方法。
【請求項３３】
前記ホッピングするステップが、ある個数の周波数チャネルにわたって実行され、前記個数が、前記基地局によって使用される帯域幅に基づく、請求項32に記載の方法。
【請求項３４】
前記個数が、前記ユーザ機器によって必要とされる周波数の最小個数にさらに基づく、請求項33に記載の方法。
【請求項３５】
前記ワイヤレス通信がモノのインターネット(IoT)通信を備える、請求項27に記載の方法。
【請求項３６】
前記アップリンク送信が、前記フレームの間に前記基地局の前記チャネル占有に対する前記基地局の帯域幅内で受信される、請求項27に記載の方法。
【請求項３７】
前記狭帯域周波数帯域の第1のセットが、成功したクリアチャネルアセスメント(CCA)プロシージャに続く前記第1のチャネル占有の持続時間の間、占有される、請求項27に記載の方法。
【請求項３８】
基地局におけるワイヤレス通信のための装置であって、
フレームにわたって基地局のホッピングパターンで第1のチャネル占有に対する狭帯域周波数帯域の第1のセットから第2のチャネル占有に対する狭帯域周波数帯域の第2のセットにホッピングするための手段であって、前記狭帯域周波数帯域の第1のセットが、前記狭帯域周波数帯域の第2のセットとは異なる、手段と、
前記基地局のホッピングパターンに基づいて狭帯域周波数帯域の対応するセット複数の送信単位の中で、ユーザ機器から狭帯域の中でアップリンク送信を受信するための手段と
を備える装置。
【請求項３９】
前記アップリンク送信が、デュアルホッピングパターンに基づいて前記ユーザ機器から受信され、前記ユーザ機器が、フレームにわたって前記基地局のホッピングパターンに基づいてホッピングするとともにフレーム内の送信単位にわたって第2のパターンでホッピングし、前記ユーザ機器が、前記第2のパターンに基づいた前記フレームの間に前記基地局の前記チャネル占有内で狭帯域周波数帯域をホッピングする、請求項38に記載の装置。
【請求項４０】
前記基地局が広帯域基地局を備え、前記装置が、
複数の狭帯域ユーザ機器との通信を多重化するための手段をさらに備える、
請求項38に記載の装置。
【請求項４１】
前記アップリンク送信が、アップリンク狭帯域の中で受信され、前記装置が、
ダウンリンク狭帯域の中でダウンリンク通信を前記ユーザ機器へ送信するための手段をさらに備え、前記アップリンク狭帯域が前記ダウンリンク狭帯域とは異なる、
請求項38に記載の装置。
【請求項４２】
基地局におけるワイヤレス通信のための装置であって、
メモリと、
前記メモリに結合された少なくとも1つのプロセッサとを備え、前記プロセッサが、
フレームにわたって基地局のホッピングパターンで第1のチャネル占有に対する狭帯域周波数帯域の第1のセットから第2のチャネル占有に対する狭帯域周波数帯域の第2のセットにホッピングすることであって、前記狭帯域周波数帯域の第1のセットが、前記狭帯域周波数帯域の第2のセットとは異なる、ことと、
前記基地局のホッピングパターンに基づいて狭帯域周波数帯域の対応するセット内の複数の送信単位の中で、ユーザ機器から狭帯域の中でアップリンク送信を受信することとをするように構成される、
装置。
【請求項４３】
前記アップリンク送信が、デュアルホッピングパターンに基づいて前記ユーザ機器から受信され、前記ユーザ機器が、フレームにわたって前記基地局のホッピングパターンに基づいてホッピングするとともにフレーム内の送信単位にわたって第2のパターンでホッピングし、前記ユーザ機器が、前記第2のパターンに基づいた前記フレームの間に前記基地局の前記チャネル占有内で狭帯域周波数帯域をホッピングする、請求項42に記載の装置。
【請求項４４】
前記アップリンク送信が、各フレームの中で前記基地局の前記チャネル占有に関連する同じ狭帯域の中で前記ユーザ機器から受信される、請求項42に記載の装置。
【請求項４５】
前記基地局が広帯域基地局を備え、前記少なくとも1つのプロセッサが、
複数の狭帯域ユーザ機器との通信を多重化するようにさらに構成される、
請求項42に記載の装置。
【請求項４６】
前記アップリンク送信が、アップリンク狭帯域の中で受信され、前記少なくとも1つのプロセッサが、
ダウンリンク狭帯域の中でダウンリンク通信を前記ユーザ機器へ送信するようにさらに構成され、前記アップリンク狭帯域が前記ダウンリンク狭帯域とは異なる、
請求項42に記載の装置。
【請求項４７】
前記基地局が、少なくとも1つの近隣基地局とは異なる周波数チャネルを占有するために、前記少なくとも1つの近隣基地局と協調して、フレームにわたって前記第1のパターンで周波数チャネルをホッピングする、請求項42に記載の装置。
【請求項４８】
前記ホッピングすることが、ある個数の周波数チャネルにわたって実行され、前記個数が、前記基地局によって使用される帯域幅に基づく、請求項47に記載の装置。
【請求項４９】
前記個数が、前記ユーザ機器によって必要とされる周波数の最小個数にさらに基づく、請求項48に記載の装置。
【請求項５０】
前記ワイヤレス通信がモノのインターネット(IoT)通信を備える、請求項42に記載の装置。
【請求項５１】
基地局におけるワイヤレス通信のためのコンピュータ実行可能コードを記憶するコンピュータ可読媒体であって、
フレームにわたって基地局のホッピングパターンで第1のチャネル占有に対する狭帯域周波数帯域の第1のセットから第2のチャネル占有に対する狭帯域周波数帯域の第2のセットにホッピングすることであって、前記狭帯域周波数帯域の第1のセットが、前記狭帯域周波数帯域の第2のセットとは異なる、ことと、
前記基地局のホッピングパターンに基づいて狭帯域周波数帯域の対応するセット内の複数の送信単位の中で、ユーザ機器から狭帯域の中でアップリンク送信を受信することとをするためのコードを備える、
コンピュータ可読媒体。
【請求項５２】
前記アップリンク送信が、デュアルホッピングパターンに基づいて前記ユーザ機器から受信され、前記ユーザ機器が、フレームにわたって前記基地局のホッピングパターンに基づいてホッピングするとともにフレーム内の送信単位にわたって第2のパターンでホッピングし、前記ユーザ機器が、前記第2のパターンに基づいた前記フレームの間に前記基地局の前記チャネル占有内で狭帯域周波数帯域をホッピングする、請求項51に記載のコンピュータ可読媒体。
【請求項５３】
前記アップリンク送信が、各フレームの中で前記基地局の前記チャネル占有に関連する同じ狭帯域の中で前記ユーザ機器から受信される、請求項51に記載のコンピュータ可読媒体。
【請求項５４】
前記基地局が広帯域基地局を備え、前記コンピュータ可読媒体が、
複数の狭帯域ユーザ機器との通信を多重化するためのコードをさらに備える、
請求項51に記載のコンピュータ可読媒体。
【請求項５５】
前記アップリンク送信が、アップリンク狭帯域の中で受信され、前記コンピュータ可読媒体が、
ダウンリンク狭帯域の中でダウンリンク通信を前記ユーザ機器へ送信するためのコードをさらに備え、前記アップリンク狭帯域が前記ダウンリンク狭帯域とは異なる、
請求項51に記載のコンピュータ可読媒体。